(57)【要約】【課題】第１断熱パネルと第２断熱パネルとの接合部に防水シートを敷き設する際、防水シートで前記接合部を十分に覆うことができる断熱パネルの施工方法を提供すること。【解決手段】断熱パネルの施工方法は、第１断熱パネル１Ａと第２断熱パネル１Ｂとを並べて接合する接合工程と、第１断熱パネル１Ａと第２断熱パネル１Ｂとの接合部に防水シート２を敷き設して、防水シート２で接合部を覆う敷設工程とを有する。第１断熱パネル１Ａは、防水シート２が貼着される防水シート貼着部８を有し、第２断熱パネル１Ｂは、防水シート２が貼着される防水シート貼着部９を有する。防水シート貼着部８および防水シート貼着部９は、それぞれ、凹部で構成されており、敷設工程では、防水シート２の貼着位置を決める位置決め部としても用いられる。【選択図】図４
2018115470.tif 000002
【特許請求の範囲】
【請求項１】
第１断熱パネルと第２断熱パネルとを並べて接合する接合工程と、
前記第１断熱パネルと前記第２断熱パネルとの接合部に防水シートを敷き設して、該防水シートで前記接合部を覆う敷設工程とを有し、
前記第１断熱パネルおよび前記第２断熱パネルは、それぞれ、前記防水シートが貼着される防水シート貼着部を有し、該防水シート貼着部は、凹部で構成されており、
前記敷設工程では、前記凹部を、前記防水シートの貼着位置を決める位置決め部としても用いることを特徴とする断熱パネルの施工方法。
【請求項２】
前記防水シートは、帯状をなし、その長手方向に敷き設されるものであり、
前記凹部は、前記防水シートが敷き設される敷設方向に沿って延在している請求項１に記載の断熱パネルの施工方法。
【請求項３】
前記凹部は、底部を有し、
前記凹部の前記底部までの深さをＤとし、前記防水シートの厚さをｔとしたとき、Ｄ／ｔが０．５以上２．０以下である請求項１または２に記載の断熱パネルの施工方法。
【請求項４】
前記底部の幅は、４０ｍｍ以上２００ｍｍ以下である請求項１ないし３のいずれか１項に記載の断熱パネルの施工方法。
【請求項５】
前記凹部は、前記底部から立設し、該底部に対して傾斜した側壁部を有する請求項１ないし４のいずれか１項に記載の断熱パネルの施工方法。
【請求項６】
前記接合部は、嵌合により前記他の断熱パネルと接合されるよう構成されている請求項１ないし５のいずれか１項に記載の断熱パネルの施工方法。
【請求項７】
前記接合部は、突き当てにより前記他の断熱パネルと接合されるよう構成されている請求項１ないし５のいずれか１項に記載の断熱パネルの施工方法。
【請求項８】
前記第１断熱パネルおよび前記第２断熱パネルは、それぞれ、傾斜した姿勢で施工されるものであり、
前記凹部は、前記第１断熱パネルおよび前記第２断熱パネルの傾斜方向と交差する方向に延在する請求項１ないし７のいずれか１項に記載の断熱パネルの施工方法。
【請求項９】
前記厚さｔは、１．０ｍｍ以上２ｍｍ以下である請求項１ないし８のいずれか１項に記載の断熱パネルの施工方法。
【発明の詳細な説明】
【技術分野】
【０００１】
本発明は、断熱パネルの施工方法に関する。
【背景技術】
【０００２】
従来から、傾斜した屋根やベランダの傾斜した床に断熱パネルが施工された家屋がある。この施工は、多数枚の断熱パネルを行列状に並べていく。このとき、施工状態によっては、隣り合う断熱パネル同士の間に間隙が生じることがある。間隙があると、この間隙から雨水等が家屋の中に入り込み、雨漏りの原因となることがある。そこで、この間隙を覆うように帯状の防水シートを貼着して、雨水等の侵入を防止する（例えば、特許文献１参照）。
【０００３】
しかしながら、帯状の防水シートを貼着する作業を行なう際、帯状の防水シートの全長の程度によっては、防水シートを真直ぐに貼着することができないことがある。この場合、防水シートを貼着しても、隣り合う断熱パネル同士の間の間隙を十分に覆うことができず、結果、防水シートが機能を果たすことができない。
【先行技術文献】
【特許文献】
【０００４】
【特許文献１】特許第４６８５５９２号公報
【発明の概要】
【発明が解決しようとする課題】
【０００５】
本発明の目的は、第１断熱パネルと第２断熱パネルとの接合部に防水シートを敷き設（敷設）する際、防水シートで前記接合部を十分に覆うことができる断熱パネルの施工方法を提供することにある。
【課題を解決するための手段】
【０００６】
このような目的は、下記（１）〜（９）の本発明により達成される。
（１）  第１断熱パネルと第２断熱パネルとを並べて接合する接合工程と、
前記第１断熱パネルと前記第２断熱パネルとの接合部に防水シートを敷き設して、該防水シートで前記接合部を覆う敷設工程とを有し、
前記第１断熱パネルおよび前記第２断熱パネルは、それぞれ、前記防水シートが貼着される防水シート貼着部を有し、該防水シート貼着部は、凹部で構成されており、
前記敷設工程では、前記凹部を、前記防水シートの貼着位置を決める位置決め部としても用いることを特徴とする断熱パネルの施工方法。
【０００７】
（２）  前記防水シートは、帯状をなし、その長手方向に敷き設されるものであり、
前記凹部は、前記防水シートが敷き設される敷設方向に沿って延在している上記（１）に記載の断熱パネルの施工方法。
【０００８】
（３）  前記凹部は、底部を有し、
前記凹部の前記底部までの深さをＤとし、前記防水シートの厚さをｔとしたとき、Ｄ／ｔが０．５以上２．０以下である上記（１）または（２）に記載の断熱パネルの施工方法。
【０００９】
（４）  前記底部の幅は、４０ｍｍ以上２００ｍｍ以下である上記（１）ないし（３）のいずれかに記載の断熱パネルの施工方法。
【００１０】
（５）  前記凹部は、前記底部から立設し、該底部に対して傾斜した側壁部を有する上記（１）ないし（４）のいずれかに記載の断熱パネルの施工方法。
【００１１】
（６）  前記接合部は、嵌合により前記他の断熱パネルと接合されるよう構成されている上記（１）ないし（５）のいずれかに記載の断熱パネルの施工方法。
【００１２】
（７）  前記接合部は、突き当てにより前記他の断熱パネルと接合されるよう構成されている上記（１）ないし（５）のいずれかに記載の断熱パネルの施工方法。
【００１３】
（８）  前記第１断熱パネルおよび前記第２断熱パネルは、それぞれ、傾斜した姿勢で施工されるものであり、
前記凹部は、前記第１断熱パネルおよび前記第２断熱パネルの傾斜方向と交差する方向に延在する上記（１）ないし（７）のいずれかに記載の断熱パネルの施工方法。
【００１４】
（９）  前記厚さｔは、１．０ｍｍ以上２ｍｍ以下である上記（１）ないし（８）のいずれかに記載の断熱パネルの施工方法。
【発明の効果】
【００１５】
本発明によれば、第１断熱パネルと第２断熱パネルとの接合部に防水シートを敷き設する際、防水シートで前記接合部を十分に覆うことができる。
【図面の簡単な説明】
【００１６】
【図１】図１は、本発明の断熱パネルの施工方法によって施工された断熱パネルを示す斜視図である。
【図２】図２は、図１中のＡ−Ａ線断面図である。
【図３】図３は、本発明の断熱パネルの施工方法を順に説明するための斜視図である。
【図４】図４は、本発明の断熱パネルの施工方法を順に説明するための斜視図である。
【図５】図５は、本発明の断熱パネルの施工方法によって施工された断熱パネルを示す垂直断面図である。
【発明を実施するための形態】
【００１７】
以下、本発明の断熱パネルの施工方法を添付図面に示す好適な実施形態に基づいて詳細に説明する。
【００１８】
＜第１実施形態＞
図１は、本発明の断熱パネルの施工方法によって施工された断熱パネルを示す斜視図である。図２は、図１中のＡ−Ａ線断面図である。図３および図４は、それぞれ、本発明の断熱パネルの施工方法を順に説明するための斜視図である。なお、以下では、説明の都合上、図２中の上側を「上」または「上方」、下側を「下」または「下方」と言う。また、図２中（図５についても同様）の左側を「下流側」、右側を「上流側」と言うことがある。
【００１９】
図１に示す防水構造１０は、例えばベランダ１００の床に施工されるものである。この防水構造１０は、複数枚の第１断熱パネル（断熱パネル）１Ａと、複数枚の第２断熱パネル（断熱パネル）１Ｂと、複数枚の防水シート２とを備えている。
【００２０】
第１断熱パネル１Ａと第２断熱パネル１Ｂとは、行列状に並べて施工される、すなわち、配置されている。本実施形態では、第１断熱パネル１Ａは、図１中の左右方向に一列に配置されており、第２断熱パネル１Ｂは、図１中の第１断熱パネル１Ａの列の上側に、第１断熱パネル１Ａと同様、図１中の左右方向に一列に配置されている。
【００２１】
第１断熱パネル１Ａと第２断熱パネル１Ｂとは、配置箇所が異なること以外は、同じ積層構造を有するものである（図２参照）。以下、代表的に第１断熱パネル１Ａの積層構造について説明する。
【００２２】
図２に示すように、第１断熱パネル１Ａは、樹脂層３と、金属層４ａと、金属層４ｂと、樹脂層５ａと、樹脂層５ｂとを有する積層板である。
【００２３】
樹脂層３は、例えばポリウレタンフォームで構成され、第１断熱パネル１Ａで断熱性を発揮する部分である。
【００２４】
樹脂層３の下面側には、金属層４ａが積層され、樹脂層３の上面側には、金属層４ｂが積層されている。金属層４ａおよび金属層４ｂは、例えばガルバリウム鋼板（登録商標）やステンレス鋼板等の各種鋼板で構成され、第１断熱パネル１Ａで耐環境性（防腐性）を発揮する部分である。
【００２５】
樹脂層５ａおよび樹脂層５ｂは、例えばポリ塩化ビニルで構成された膜である。樹脂層５ａは、金属層４ａを被覆しており、金属層４ａへの防錆性を発揮する。樹脂層５ｂは、金属層４ｂを被覆しており、金属層４ｂへの防錆性を発揮する。
【００２６】
第１断熱パネル１Ａと第２断熱パネル１Ｂとは、それぞれ、水平方向に対して傾斜した姿勢で施工され、例えばネジ止めにより固定されている。これにより、例えば雨水等が上流側から下流側に向かって流下することができ、ベランダ１００での排水性が向上する。なお、第１断熱パネル１Ａ、第２断熱パネル１Ｂの傾斜角度θ１としては、特に限定されない。
また、第１断熱パネル１Ａと第２断熱パネル１Ｂとは、それぞれ、縦の長さと横の長さとが、同じであってもよいし、異なっていてもよい。
【００２７】
図２に示すように、防水構造１０では、第１断熱パネル１Ａと第２断熱パネル１Ｂとは、上流側と下流側とに隣り合って、すなわち、並べて配置され、互いに接合される。第１断熱パネル１Ａは、第２断熱パネル１Ｂと接合される接合部６を有している。第２断熱パネル１Ｂは、第１断熱パネル１Ａと接合される接合部７を有している。そして、ベランダ１００の床を施工する際、第１断熱パネル１Ａの接合部６と、第２断熱パネル１Ｂの接合部７とが接合されることとなる。
【００２８】
第１断熱パネル１Ａの接合部６は、第１断熱パネル１Ａの上流側の外縁部１１に設けられている。接合部６は、外縁部１１から上流側に向かって突出している。また、接合部６は、図２中の紙面手前側から奥側に向かって形成された凸条となっている。
【００２９】
第２断熱パネル１Ｂの接合部７は、第２断熱パネル１Ｂの下流側の外縁部１２に設けられている。接合部７は、外縁部１２に上流側に向かって凹没している。また、接合部７は、図２中の紙面手前側から奥側に向かって形成された溝（凹部）となっている。なお、接合部７の深さは、接合部６の突出量よりも深いのが好ましい。
そして、接合部６と接合部７とは、凹凸嵌合することができる。
【００３０】
このように、第１断熱パネル１Ａの接合部６は、嵌合によって、第２断熱パネル１Ｂ（複数の断熱パネルのうちの１つの断熱パネルである他の断熱パネル）の接合部７と接合される。一方、第２断熱パネル１Ｂの接合部７も、嵌合によって、第１断熱パネル１Ａ（複数の断熱パネルのうちの１つの断熱パネルである他の断熱パネル）の接合部６と接合される。このような嵌合により、第１断熱パネル１Ａと第２断熱パネル１Ｂとを強固に接合することができる。これにより、例えば第１断熱パネル１Ａや第２断熱パネル１Ｂが強風等で不本意に取り外されてしまうのを確実に防止することができ、よって、ベランダ１００を安全かつ快適に使用することができる。
【００３１】
なお、第１断熱パネル１Ａは、下流側の外縁部１３に、第２断熱パネル１Ｂの接合部７と同様の構成（形状）の接合部７を有しているのが好ましい。また、第２断熱パネル１Ｂも、上流側の外縁部１４に、第１断熱パネル１Ａの接合部６と同様の構成（形状）の接合部６を有しているのが好ましい。これにより、第１断熱パネル１Ａ、第２断熱パネル１Ｂとして、共通の（同じ）断熱パネルを用いることができる。
【００３２】
防水シート２は、互いに接合された接合部６と接合部７とを覆う部材である。防水シート２は、帯状をなし、樹脂材料を含有する樹脂シートで構成される。
【００３３】
樹脂材料としては、特に限定されないが、例えば、ポリ塩化ビニルのような塩化ビニル系樹脂、ポリオレフィン系樹脂、エチレン酢酸ビニル共重合体等が挙げられ、これらのうちの１種または２種以上を組み合わせて用いることができる。これらの中でも、塩化ビニル系樹脂であることが好ましい。これにより、防水シート２の熱融着性や溶剤溶着性を優れたものとすることができる。
【００３４】
なお、塩化ビニル系樹脂としては、塩化ビニルを含む重合体、すなわちオリゴマー、プレポリマーおよびポリマーであれば特に限定されないが、例えば、塩化ビニルの単量重合体、または塩化ビニルと、酢酸ビニル、エチレン、もしくはプロピレン等との共重合体、およびこれらの２種以上の重合体の混合物等が挙げられる。
【００３５】
また、樹脂材料には、さらに、各種可塑剤、各種安定化剤、各種酸化防止剤、各種紫外線吸収剤、加工助剤、滑剤、充填材、難燃剤および色材等を含んでいてもよく、特に、可塑剤が含まれることが好ましい。これにより、防水シート２をより優れた柔軟性を有するものとすることができる。
【００３６】
以上のことから、防水シート２は、塩化ビニル系樹脂と可塑剤とを含有する塩化ビニル系樹脂シートで構成されることが好ましい。これにより、前記効果をより顕著に発揮させることができる。
【００３７】
なお、防水シート２は、前記樹脂シートの単層で構成されるものの他、例えば、その厚さ方向の途中に繊維層が介挿されたもの、すなわち、厚さ方向に積層された第１樹脂層と第２樹脂層との間に繊維層（繊維シート）が挾持された構成のものであってもよい。
【００３８】
この繊維層は、繊維の集合体で構成されたものであり、例えば、織布や不織布等のクロス、縦糸と横糸とで複数の格子を形成したネット等の繊維シートが挙げられるが、防水シート２を、このような繊維層を備えるものとすることにより、防水シート２の強度（引き裂き強度や引張り強度等）および耐久性（耐繰り返し疲労特性）を向上させることができる。
【００３９】
また、防水シート２の厚さｔ２（厚さｔ）は、特に限定されないが、例えば、１．０ｍｍ以上２ｍｍ以下であるのが好ましい。これにより、ＪＩＳ規格で規定されている防水シート２を用いることができる。
【００４０】
第１断熱パネル１Ａは、外縁部１１側に、防水シート２が貼着される防水シート貼着部８を有している。一方、第２断熱パネル１Ｂは、外縁部１２側に、防水シート２が貼着される防水シート貼着部９を有している。そして、防水シート２は、第２断熱パネル１Ｂの接合部７に接合された第１断熱パネル１Ａの接合部６を、第２断熱パネル１Ｂの接合部７ごと覆うことができるとともに、第１断熱パネル１Ａの接合部６に接合された第２断熱パネル１Ｂの接合部７を、第１断熱パネル１Ａの接合部６ごと覆うことができる。
【００４１】
ところで、施工状態によっては、第１断熱パネル１Ａの外縁部１１と第２断熱パネル１Ｂの外縁部１２との間に、大なり小なり、間隙２０が生じることがある（図２参照）。間隙２０があると、この間隙２０から雨水等が家屋の中に入り込み、雨漏りの原因となるおそれがある。そこで、この間隙２０を覆うように帯状の防水シート２を貼着して、間隙２０からの雨水等の侵入を防止することができる。なお、防水シート２は、不透明なものである。これにより、防水シート２を介して間隙２０が見えてしまうのを防止することができる。
【００４２】
図２に示すように、第１断熱パネル１Ａの防水シート貼着部８は、底部８１と、底部８１から立設した側壁部８２とを有する凹部で構成されている。
【００４３】
底部８１は、樹脂層５ｂが露出する平坦な面で構成されている。この底部８１は、（図２中の紙面奥行き方向）に延在しており、その延在方向に沿って防水シート２が貼着される。この貼着方法としては、特に限定されず、例えば、熱融着法や溶着法等を用いることができる。
【００４４】
側壁部８２は、底部８１の下流側に立設しており、底部８１の延在方向に沿って形成されている。この側壁部８２は、底部８１に対して鈍角で傾斜している。この傾斜角度θ８２としては、特に限定されず、例えば、９０°を超えて、１８０°未満であるのが好ましい。これにより、防水シート２を底部８１に貼着する作業がし易くなる、すなわち、防水シート２の貼着時の作業性が向上する。
【００４５】
第２断熱パネル１Ｂの防水シート貼着部９も、底部９１と、底部９１から立設した側壁部９２とを有する凹部で構成されている。
【００４６】
底部９１は、樹脂層５ｂが露出する平坦な面で構成されている。この底部９１は、（図２中の紙面奥行き方向）に延在しており、その延在方向に沿って防水シート２が貼着される。この貼着方法としては、前記と同様に、例えば、熱融着法や溶着法等を用いることができる。
【００４７】
側壁部９２は、底部９１の上流側に立設しており、底部９１の延在方向に沿って形成されている。この側壁部９２は、底部９１に対して鈍角で傾斜している。この傾斜角度θ９２としては、例えば、傾斜角度θ８２と同じ大きさとするのが好ましい。これにより、防水シート２を底部９１に貼着する作業がし易くなる、すなわち、防水シート２の貼着時の作業性が向上する。
【００４８】
このような凹部で構成された防水シート貼着部８は、第１断熱パネル１Ａの傾斜方向と交差する方向に延在しており、同様に、防水シート貼着部９も、第２断熱パネル１Ｂの傾斜方向と交差する方向に延在していている。
【００４９】
そして、防水シート貼着部８の底部８１までの深さをＤ８（深さＤ）とし、防水シート２の厚さをｔ２（厚さｔ）としたとき、Ｄ８／ｔ２（＝Ｄ／ｔ）が０．５以上２．０以下である。また、防水シート貼着部９の底部９１までの深さをＤ９（深さＤ）とし、防水シート２の厚さをｔ２（厚さｔ）としたとき、Ｄ９／ｔ２（＝Ｄ／ｔ）も、Ｄ８／ｔ２と同じ大きさとするのが好ましい。
【００５０】
ここで、仮に防水シート貼着部８および防水シート貼着部９が凹部で構成されていない、すなわち、凹部が省略された場合について考えてみる。この場合、帯状の防水シート２を貼着すると、その防水シート２の厚さｔ２の分だけ、第１断熱パネル１Ａや第２断熱パネル１Ｂ上に段差が生じる。そして、この防水シート２による段差で、上流側からの雨水等の水の流れが遮られてしまい、すなわち、水はけ（排水性）が悪くなり、結果、そこに水が溜まってしまう。水溜まりは、例えば、カビ発生の原因となったり、水溜りを踏んだ場合に水が飛散して周辺を濡らしてしまう原因となったりする。
【００５１】
そこで、防水構造１０では、防水シート貼着部８および防水シート貼着部９は、いずれも凹部で構成され、Ｄ８／ｔ２およびＤ９／ｔ２がそれぞれ前記数値範囲となっている。これにより、上流側からの雨水等は、防水シート２で遮られるのが防止され、よって、下流側に向かって円滑に流下することができる。このように防水構造１０は、水はけに優れたものとなっている。また、例えばＤ８／ｔ２およびＤ９／ｔ２が前記数値範囲を超えると、雨水等の流れが防水シート２で堰き止められてしまい、それより上流側で水が溜まり易くなる。また、Ｄ８／ｔ２およびＤ９／ｔ２が前記数値範囲を下回ると、防水シート貼着部８および防水シート貼着部９（凹部）内に水が溜まり易くなる。
【００５２】
また、底部８１の幅Ｗ８１、底部９１の幅Ｗ９１は、いずれも、４０ｍｍ以上２００ｍｍ以下であるのが好ましい。例えば、第１断熱パネル１Ａの大きさにもよるが、幅Ｗ８１が前記数値範囲を超えると、第１断熱パネル１Ａでは、防水シート貼着部８以外の平坦な部分（上面（表側の面））が十分に確保されなくなるおそれがある（幅Ｗ９１についても同様）。また、幅Ｗ８１が前記数値範囲を下回ると、防水シート２の貼着面積が不十分となり、防水シート２が剥がれ易くなるおそれがある（幅Ｗ９１についても同様）。
【００５３】
なお、図１に示すように、第１断熱パネル１Ａは、下流側の外縁部１３に、第２断熱パネル１Ｂの防水シート貼着部９と同様の構成（形状）の防水シート貼着部９を有しているのが好ましい。また、第２断熱パネル１Ｂも、上流側の外縁部１４に、第１断熱パネル１Ａの防水シート貼着部８と同様の構成（形状）の防水シート貼着部８を有しているのが好ましい。これにより、第１断熱パネル１Ａ、第２断熱パネル１Ｂとして、共通の（同じ）断熱パネルを用いることができる。
【００５４】
次に、防水構造１０を施工する方法（本発明の断熱パネルの施工方法）について、図３および図４を参照しつつ説明する。
この施工方法は、接合工程（図３参照）と、敷設工程（図４参照）とを有する。
【００５５】
［１］  接合工程
図３に示すように、接合工程は、第１断熱パネル１Ａを下流側に、第２断熱パネル１Ｂを上流側に並べて、第１断熱パネル１Ａの接合部６と第２断熱パネル１Ｂの接合部７とを接合する工程である。
【００５６】
この接合工程では、例えば、まず第１断熱パネル１Ａを一列に並べる。次いで第２断熱パネル１Ｂを一列に並べていく。このとき、第２断熱パネル１Ｂを１枚ずつ、当該第２断熱パネル１Ｂに隣接する第１断熱パネル１Ａの接合部６に、当該第２断熱パネル１Ｂの接合部７を接合していく。これにより、複数枚の第１断熱パネル１Ａと複数枚の第２断熱パネル１Ｂとが図３に示す行列状に配置された状態となる。
【００５７】
［２］  敷設工程
図４に示すように、敷設工程は、接合工程で互いに接合された第１断熱パネル１Ａの接合部６と第２断熱パネル１Ｂの接合部７とに一括して防水シート２を敷き設して、当該防水シート２で接合部６と接合部７とを覆う工程である。
【００５８】
また、防水シート２は、予めロール状に巻回されており、敷設工程で展開されつつ、すなわち、防水シート２の長手方向に敷き設されつつ、防水シート貼着部８および防水シート貼着部９に貼着される。また、施工される防水シート２は、その長さが通常２０ｍ程度であり、長尺なほど、防水シート２同士の継ぎ目の処理が少なく、均質な防水機能を提供することができる。
【００５９】
前述したように、防水シート貼着部８は、凹部で構成されており、防水シート貼着部９も、凹部で構成されている。また、凹部で構成された防水シート貼着部８および防水シート貼着部９は、いずれも、防水シート２が敷き設される敷設方向、すなわち、図４中の左右方向に沿って延在している。これにより、作業者（施工業者）は、防水シート２の敷設方向を迅速に把握することができる。
【００６０】
また、敷設工程では、凹部で構成された防水シート貼着部８と、凹部で構成された防水シート貼着部９とを、防水シート２の貼着位置を決める位置決め部としても用いることができる。防水シート貼着部８は、例えば、底部８１と側壁部８２との境界部や側壁部８２が位置決め部として機能する部分となり得る。防水シート貼着部９は、例えば、底部９１と側壁部９２との境界部や側壁部９２が位置決め部として機能する部分となり得る。
【００６１】
そして、防水シート２を貼着する作業を行なう際、前記いずれかの位置決め部を目印（基準）にして、当該目印に防水シート２を沿わせて、その貼着作業を行なうことができる。これにより、防水シート２が防水シート貼着部８と防水シート貼着部９との間を中心としてセンタリングされて、当該防水シート２を真直ぐに貼ることができる、すなわち、施工精度（敷設精度）を保証することができる。このように貼着された防水シート２により、接合部６と接合部７とを十分に覆うことができ、よって、間隙２０を過不足なく塞ぐことができる。また、このような貼着性により、作業者の熟練の程度に関わらず、防水シート２を正確にセンタリングして貼着することができる。また、仮に貼着作業を暗所で行なう場合であっても、凹部で構成された防水シート貼着部８や防水シート貼着部９を手探りで確認することができれば、防水シート２をセンタリングして貼着することができる。また、防水シート２を真直ぐに貼ろうという神経を過剰に使うのを防止または抑制することができ、施工効率が向上する。また、貼着作業に先立って、前記位置決め部と同様の機能を有するマーカを付す作業を省略することができる。
【００６２】
防水シート貼着部８の底部８１の幅Ｗ８１と、防水シート貼着部９の底部９１の幅Ｗ９１との総和は、防水シート２の幅Ｗ２（幅Ｗ）よりも大きく（図２参照）、例えば、幅Ｗ２よりも１ｍｍ以上３０ｍｍ以下大きいのが好ましい。これにより、貼着作業が容易となる、すなわち、防水シート２の貼着時の作業性が向上する。
【００６３】
＜第２実施形態＞
図５は、本発明の断熱パネルの施工方法によって施工された断熱パネルを示す垂直断面図である。
【００６４】
以下、この図を参照して本発明の断熱パネルの施工方法の第２実施形態について説明するが、前述した実施形態との相違点を中心に説明し、同様の事項はその説明を省略する。
【００６５】
本実施形態は、接合部の形状（構成）が異なること以外は前記第１実施形態と同様である。
【００６６】
図５に示すように、本実施形態では、第１断熱パネル１Ａの接合部６は、平坦な形状をなし、第２断熱パネル１Ｂの接合部７も、平坦な形状をなしている。そして、接合部６と接合部７とは、互いに対向して突き当てにより接合されるよう構成されている。このような構成により、第１断熱パネル１Ａの外縁部１１と第２断熱パネル１Ｂの外縁部１２との間に間隙２０を生じされなければならない場合、その間隙２０の大きさを調整することができる。これにより、円滑な施工が可能となる。
【００６７】
以上、本発明の断熱パネルの施工方法を図示の実施形態について説明したが、本発明は、これに限定されるものではない。
【００６８】
また、本発明の断熱パネルの施工方法は、前記各実施形態のうちの、任意の２以上の構成（特徴）を組み合わせたものであってもよい。
【００６９】
また、本発明の断熱パネルの施工方法が用いられる場所としては、前記各実施形態ではベランダの床であったが、これに限定されず、屋根等であってもよい。
【００７０】
また、第１断熱パネルと第２断熱パネルとは、前記各実施形態では外縁部同士の間に間隙が生じた状態となっているが、これに限定されず、外縁部同士が当接していてもよい。
【００７１】
また、防水シートは、前記各実施形態では１枚ずつ施工されているが、例えば防水シートを複数枚重ねて施工する場合には、Ｄ／ｔを計算する際の厚さｔは、複数枚重ねられた防水シートの総厚を用いる。
【符号の説明】
【００７２】
１０          防水構造
１Ａ          第１断熱パネル
１Ｂ          第２断熱パネル
１１、１２、１３、１４  外縁部
２            防水シート
３            樹脂層
４ａ          金属層
４ｂ          金属層
５ａ          樹脂層
５ｂ          樹脂層
６            接合部
７            接合部
８            防水シート貼着部
８１          底部
８２          側壁部
９            防水シート貼着部
９１          底部
９２          側壁部
２０          間隙
１００        ベランダ
Ｄ８、Ｄ９    深さ
ｔ２          厚さ
Ｗ２、Ｗ８１、Ｗ９１  幅
θ１、θ８２、θ９２  傾斜角度
【図１】
2018115470.tif 000003
【図２】
2018115470.tif 000004
【図３】
2018115470.tif 000005
【図４】
2018115470.tif 000006
【図５】
2018115470.tif 000007